(57)【要約】【課題】  ディスポーザブル製品として取り扱い可能な低生産コストで、しかも廃棄時に環境汚染の心配が無く、携帯時には嵩張らず、実際の使用時に違和感が少なく、視覚的イメージを向上し、ファッション性に優れ、人前で使用しても違和感のない視覚的効果を持った上で、嘔吐反射の少ない舌苔清掃器を提供する。【解決手段】  平面的な材料構成口によって、唇を可及的に閉鎖した状態で使用可能とすると共に、清掃作業時口腔組織接触面に、唾液によって容易に溶け出す薬剤を装着し、環境汚染することなく安易に廃棄できる材料を、本体に立体印刷を施し、本体を折り畳み式とすることで携帯性を向上させた上で、平面的形状の板材が弾性素材から成る部材によって自動的に展開し使用可能となるペーパー状舌苔清掃器にかかるものである。【選択図】図１
2006122532.tif 000002
【特許請求の範囲】
【請求項１】
最小構成要素として、口腔内に挿入する口蓋接触部と、
その口蓋接触部から舌接触方向に設けた翼状の舌苔収集部と、
前記、舌ゴケを掻き出し作業を行う際に指手で保持するための保持部と、
前記、口蓋接触部と保持部とを連結する首部と、
で構成される舌ゴケ清掃器であって、
前記、口蓋接触部、首部、保持部、および舌苔収集部の全体あるいは少なくとも一部を可撓性と弾力性を有する薄板状の材料で構成し、平面的な材料構成を用いて三次元的形状を有することを特徴とするペーパー状舌苔清掃器。
【請求項２】
請求項１に記載の口蓋接触部、首部、保持部、あるいは舌苔収集部の長手方向、あるいはぞれぞれの構成部分の横方向に折り畳み可能とすることによって、非使用時に平面的形状で携帯できることを特徴とするペーパー状舌苔清掃器。
【請求項３】
請求項１あるいは請求項２に記載の口蓋接触部、舌苔収集部のどちらか一方あるいは両方の清掃作業時口腔組織接触面に、唾液によって容易に溶け出す口臭除去剤、芳香剤、甘味剤、清涼剤などの使用感を向上し口臭予防に役立つ薬剤を装着したことを特徴とするペーパー状舌苔清掃器。
【請求項４】
請求項１あるいは請求項２に記載の口蓋接触部、舌苔収集部のどちらか一方あるいは両方の清掃作業時口腔組織接触面に、唾液によって容易に溶け出す口臭除去剤、芳香剤、甘味剤、清涼剤などの使用感を向上し口臭予防に役立つ薬剤を含浸したことを特徴とするペーパー状舌苔清掃器。
【請求項５】
請求項１及び請求項２に記載の口蓋接触部、保持部、首部および舌苔収集部を構成する材料を、廃棄時に環境汚染することの少ない材料で構成したことを特徴とするペーパー状舌苔清掃器。
【請求項６】
請求項１及び請求項２に記載の口蓋接触部、保持部、首部および舌苔収集部の全体あるいは少なくとも一部に立体印刷を施したことを特徴とするペーパー状舌苔清掃器。
【請求項７】
請求項２に記載のペーパー状舌苔清掃器の畳まれた平面的形状の板材を常には展開する方向に作用する弾性素材から成る部材を装着することによって、非使用時に携帯に適するように収納ケース内で折り畳まれた平面的形状から、ケースから取り出すと自動的に展開し、使用時適応形態に変形復元することを特徴とするペーパー状舌苔清掃器。
【発明の詳細な説明】
【技術分野】
【０００１】
本発明は、舌面のプラークを除去清掃し口臭予防に使用するためのペーパー状の舌苔清掃器に関するものである。
【背景技術】
【０００２】
一般に、口臭の原囚の８０％は舌表面及び、舌乳頭間の舌苔が原因である。そのためこれらの口臭を防止するためには、薬理学的に口臭の発生物質を分解するか、あるいは物理的に舌の上に堆積したプラークを掻き取るための清掃器具が用いられている。  
【特許文献１】特開２００３−３３９７２１、特開２００２−３３６２８０
【発明の開示】
【発明が解決しようとする課題】
【０００３】
しかしながら、前述の如く、薬理学的に口臭の発生物質を分解する手段では、原因となるプラークは口腔内にそのまま残っていることになるのでその作用時間は限られたものであり、作用時間を延長するためには、薬剤を口腔内に長く貯留させるか、あるいは強力な薬理効果を持つ薬剤を使用することになるが、口腔粘膜は非常にデリケートな組織であり感覚異常や味覚異常を伴うことが考えられる。また、物理的に舌の上に堆積したプラークを掻き取るための従来の舌苔清掃器具は、手指の力で舌に押し当てながら擦りつけて清掃するために嘔吐反射の激しい人は使用することが困難であるばかりか、神経組織の緻密な舌は、強圧による清掃器具使用により、接触痛や知覚、味覚異常等を引き起こす危険性があった。加えて、一般的に前述の舌苔清掃器具は、開口状態で使用するために舌根が挙上された状態で使用することになるので、さらに嘔吐反射を招くこともしばしば見られる。
使用時に可及的に閉口状態に近い状態で清掃可能とするために、舌苔除去器具に口腔解剖学的三次元的な形状を付与することも可能であろうが、このような場合、器具の素材としては金属、あるいは樹脂などを使用せざるを得ず、当然生産コストの高騰を招くために反復使用することになり衛生管理面で問題があるばかりか、仮に前述の素材で生産した舌苔清掃器具をディスポーザブル製品として取り扱った場合であっても、形状的にかさばり外出時等にまとまった数量の舌苔清掃器具を携帯し、使用後に安直に廃棄することは環境問題の観点から大いに憚られることになる。加えて、構成材料は樹脂、金属などのおよそ本来摂食時に口腔内に入る食物などとはかけ離れた味覚と触覚を持つ素材で構成されているために違和感も大きく、さらに視覚的にも金属あるいは樹脂などの素材はイメージ的に異物感があり、一層嘔吐反射を招く原因となった。また、従来の舌苔清掃器は、単に器具としての色合いが強く、家庭内の洗面所等で使用する場合は問題がないが屋外に於いて衆人監視のもとに舌苔清掃作業を行うことははばかられた。
本発明は、斯かる実情に鑑み、舌苔清掃器具を使用して舌上のプラークを清掃する際に手指の力で圧力をかけ舌を圧迫すること無く、しかも可及的に閉口状態で使用可能とし、加えて、薬理学的作用をも備えることによって消臭作用とともに味覚、触覚、視覚的な使用感を向上させ、前記機能を満たした上で、携帯性が高く、衛生管理が容易なディスポーザブルに対応しうる比較的安価で簡便な生産工程を可能とし、さらに廃棄時に環境汚染を最小限に留めるとともに、視覚的にファッション性に優れ人前で使用しても違和感のない視覚的効果を持った舌苔清掃器を提供しようとするものである。
【課題を解決するための手段】
【０００４】
本発明は上記目的を達成するためになされたものであり、第1の発明は、比較的安価で簡便な生産工程で三次元的形状の再現を可能とするために平面的な材料構成を用いることであり、実際に口腔内に挿入する際には、平面的な材料構成でありながら口蓋の凹面形態に見合った三次元的形状を有する口蓋接触部と、同様に、その本体部から舌接触部方向に設けた舌の凸面形態に適合した平面的な材料構成でありながら三次元的形状を有する曲線形状の舌苔収集部とを、乳幼児が哺乳するように閉口状態で、指圧を使用することなく舌圧により口蓋に舌苔収集翼背面を押し当て、舌苔清掃時に掻き出し操作をするときには、可撓性を有する薄板状の材料で構成した口蓋接触部と保持部を連結する首部を、おしゃぶりキャンディーを口に含むように口唇を可及的に閉鎖した状態で上下前歯と上下口唇で支えることによって下顎骨を咀嚼筋群によって安定固定させることによって嘔吐反射の原因となる舌根の挙上を防止した少なくとも口蓋接触部、保持部、首部、および舌苔収集部の全体あるいは少なくとも一部を可撓性と弾力性を有する薄板状の材料で構成し、平面的な材料構成を用いて三次元的形状を有するペーパー状舌苔清掃器にかかるものである。
第２の発明は、携帯性を向上させるために、口蓋接触部、首部、保持部、あるいは舌苔収集部により構成される全体の長手方向あるいは、ぞれぞれの構成部分の横方向に、折り目を設け、折畳んだ状態で携帯時に平面的形状となるペーパー状舌苔清掃器にかかるものである。
第３の発明は、薬理学的に口臭予防と使用感を向上するために口蓋接触部、舌苔収集部のどちらか一方あるいは両方の清掃作業時口腔組織接触面に、唾液によって容易に溶け出すゼリー状、箔状、顆粒状、あるいはタブレット状の口臭除去剤、芳香剤、甘味剤、清涼剤などの使用感を向上し口臭予防に役立つ薬剤を装着したペーパー状舌苔清掃器にかかるものである。
第４の発明は、第３の発明と同様に、口蓋接触部、舌苔収集部のどちらか一方あるいは両方の清掃作業時口腔組織接触面に、唾液によって容易に溶け出す口臭除去剤、芳香剤、甘味剤、清涼剤などの使用感を向上し口臭予防に役立つ薬剤を含浸したペーパー状舌苔清掃器にかるものである。
第５の発明は、環境汚染することなく安易に廃棄できるディスポーザブル仕様とすることによって衛生管理を簡便にするために本発明を構成する可撓性を持つ薄板状の材料を、パルプ平紙、非木材平紙、生分解性樹脂平板材などで構成したペーパー状舌苔清掃器にかかるものである。
第６の発明は、第１の発明及び第２の発明に記載の平面的な材料で構成された口蓋接触部、保持部、首部および舌苔収集部の全体あるいは少なくとも一部に立体印刷を施し視覚的に立体感とソフトな質感を持たせたペーパー状舌苔清掃器にかかるものである。
第７の発明は、第２の発明に記載のペーパー状舌苔清掃器の平面的形状の板材の畳まれた方向に対して前記板材を展開する方向に応力が懸かるように、口蓋接触部、保持部、首部および舌苔収集部の全体あるいは少なくとも一部の表面、内部、あるいは裏面に弾性素材から成る部材を装着することによって、非使用時には、携帯に適するように収納ケース内で折り畳まれた平面的形状であるものが、ケースから取り出すと自動的に展開し、舌苔清掃に適した形状に変形復元するペーパー状舌苔清掃器にかかるものである。
【発明の効果】
【０００５】
以上、説明したように本発明の請求項１〜７に記載の舌苔清掃器によれば、第１の発明のように、舌苔清掃器の構成要素である口蓋接触部、首部、保持部、あるいは舌苔収集部の一部あるいは全体が、平面的な板材で構成されているので射出成型や、金属加工などと比較して生産コストを軽減することが可能となる。製品コストの高騰は、使い捨て使用とすることの妨げとなり、ディスポーザブル製品としての位置づけを困難なものとすることになり、口腔内で日常頻繁に使用する同器具の類においては、衛生面において問題を生ずるが、本発明の舌苔清掃器は安価な紙などの平板材のプレス型抜きと合紙のみで大量生産可能であるために安価に製造可能であるので使い捨て（ディスポーザブル）使用に好適である。またこの板材は、可撓性と弾力性を備えた材料に曲げ応力をかけ曲面状に変形させ、薄板材を使用して可及的に薄い形状であるので、実際に口腔内に挿入した場合、口蓋接触部は嘔吐反射を招きやすい左右臼後結節硬後方の軟口蓋に接触することの無いよう切り込まれた形状で硬口蓋正中口蓋縫合を支点として口蓋の凹面形状によく適合し、実際の清掃時には、乳幼児が哺乳するようなしぐさで、舌筋の力で舌苔収集部と口蓋接触部を押し上げ、口蓋接触部を硬口蓋に押し付けて使用することができる。人間の嘔吐反射は舌後後縁部を外力により圧迫されることに発現するものであり、本発明使用時の口腔内での作用は、舌の機能のひとつである食物を舌と口蓋の間に挟み込んで豆腐などの食品を磨り潰す運動のような生理的な運動であるので、非生理的な外力のように圧迫による嘔吐反射を発現することは極めて少ないことになる。
同様に、舌苔収集部は舌の凸面形状に適用し舌乳頭深部のプラークまで掻き出すような形状（単一曲線状、波型状、突起型状、あるいは毛状）に加工され、さらに舌苔を掻き集める方向に対して正対するように適度な湾曲を持って軟らかい板材で加工されているので、舌に強く押し当てることなくスムーズなスライド運動で舌苔を清掃できるので、味覚、触覚を司る感覚器官でもある舌の緻密な神経組織に対する障害が少なく、接触痛や知覚、味覚異常等を引き起こす危険性を大幅に防止することが可能となる。
加えて、さらに、口蓋接触部と、保持部を連結する首部は可撓性と弾力性を有する薄板状の材料で構成されているので、おしゃぶりキャンディーを口に含むように首部を介在させた状態で口唇を閉じて上下の前歯で銜え込んで（保持して）使用することができる。実は人間の舌は嚥下運動に大きな役割を果たしている。人間が食物を飲み込む場合、舌の根本にある舌骨を固定する必要がある。この舌骨は下顎骨と筋肉によって結ばれているために、それ自体左右の関節により宙につられているだけの下顎骨を上顎骨に咬合することによって安定固定させることなくしては人間は嚥下運動することができない。この安定固定とは歯牙自体が咬合している場合だけではなく、人間が順次食べ物をかみ砕き、磨り潰された食物から順次嚥下していく状況で見られるように、上下の歯牙の間に食物を介在させることによって上下の歯牙の間の食物を支えとしても達成することができる。この事実は、開口状態で唾液を呑み込もうとしても不可能であることから容易に推測できる。然るに舌は下顎骨が安定固定されていない開口状態では舌根部が沈下した状態にあり生理的に機能を営むことは困難であるので舌自体の筋力を発揮することも不可能であり、当然その開口状態で舌後縁部に圧力をかけられると、嘔吐反射を発現することになるので、首部を上下の歯牙の間に介在させ下顎骨を安定固定させることのできる本発明は嘔吐反射を生理的に最大限防止することが可能である。
また、口腔清掃の要点は飲食後に即座に清掃を行うことが重要であり、そのため外出時など携帯し食後3分から５分以内に清掃を完了することが好ましい。しかしながら従来の舌苔清掃器具は反復使用することを前提としていることに加えてその形状は大変かさ張り、まとまった数を外出時に持ち出すことは困難であったが、第２の発明のように薄い板状の材料を用いる本ペーパー状舌苔清掃器は、構成要素である口蓋接触部、首部、保持部、あるいは舌苔収集部全体の長手方向あるいは、ぞれぞれの構成部分の横方向に、折り目を設けてあるので使用前には折り畳んだ状態で携帯することが可能となり、折り畳んだ状態では一枚の紙のような平面的な形状になるのでかさばることがなくまとまった数を容易に携帯することが可能である。長手方向に折畳んだ舌苔清掃器を使用時に展開した場合、口蓋接触部位の断面形状は、屋根状になるが両端部が嘔吐反射を招きやすい左右臼後結節硬後方の軟口蓋に接触することの無いよう切り込まれた形状であり、屋根状断面の頂点は嘔吐反射を招くことが無い硬口蓋正中口蓋縫合と接触するので問題はない。
従来の舌苔清掃器具は、単に機械的舌苔清掃作業に対応したものであったが、第３および第４の発明のように唾液によって容易に溶け出すゼリー状、箔状、顆粒状、あるいはタブレット状の口臭除去剤、芳香剤、甘味剤、清涼剤などの使用感を向上し口臭予防に役立つ薬剤を装着するか、本体に含浸することによって、疑似的に一般の食品の様な味覚を与えることにより使用感を向上し、異物感が減少することによって嘔吐反射を防止するだけでなく、芳香剤においては、各種口臭を打ち消すとともにアロマテラピー効果によってさらに積極的に使用感を向上させる。加えて、その各種薬剤の薬理作用により口臭を発現する原因となる細菌を殺菌消毒し、仮にプラークにより発生する臭いの元である硫化イオウを直接的に分解する薬剤を用いれば機械的舌苔清掃能力に加えてさらに一層口臭予防に役立つことになる。唾液で容易に溶け出すことができる薬剤を使用する第３、第４の発明を実施するに当たり、本発明は第１の発明に示すように本体を反復使用することの無いディスポーザーブル使用を前提としていることが溶け出す薬剤の再装着あるいは再含浸の必要性をなくすることによって、使用時毎に確実に薬理効果を発揮することに寄与していることは言うまでもない。
また、昨今廃棄物による環境汚染の問題が注目されているが、本発明も使い捨てが基本であるために第五の発明に示すように構成部品にパルプ平紙、非木材平紙、生分解性樹脂平板材などの材料を使用しているために一般ごみとして廃棄しても環境を汚染する心配がない。さらに口腔内で使用する同器具自体を清掃あるいは洗浄したうえで乾燥滅菌するというような作業を行うことがないので衛生管理の観点からも非常に有効である。
使用時の違和感を減らすことによって嘔吐反射を防止する手立ては、触覚（形態的）、臭覚、味覚を考慮したことは第１第３第４の発明で述べたが、人間が違和感を抱く要素として重要なものに視覚がある。第６の発明のように、第１の発明１及び第２の発明に記載の平面的な材料で構成された口蓋接触部、保持部、首部および舌苔収集部の全体あるいは少なくとも一部に立体印刷を施すことによって、自然物のような立体感とともにソフトなイメージを与え、あたかも食品のような質感を与えることによって視覚的に精神的違和感を減少させることにより心因的な要素から来る嘔吐反射を可及的に防止できる。この視覚的効果は、この器具を使用するもの自身だけでなく外出時に衆人監視のもとに口腔清掃作業を行う場合も不潔なイメージを取り去る。
【０００６】
また、第２の発明で述べたペーパー状舌苔清掃器の平面的形状の板材の畳まれた方向に対して前記板材を展開する方向に応力が懸かるように、口蓋接触部、保持部、首部および舌苔収集部の全体あるいは少なくとも一部の表面、内部、あるいは裏面に装着したゴム、樹脂、金属などの弾性と形状復元性を有する部材で構成した弾性部によって、非使用時には、携帯に適するように収納ケース内で折り畳まれ平面的形状である本体が、ケースから取り出すと自動的に展開し、舌苔清掃に適した形状に変形復元し舌苔清掃に適した形状に復元することに寄与するので気軽に外出時であっても嵩張ることがなくまとまった数を容易に携帯して口腔清掃作業を行うことができるという優れた効果を奏し得る。
【発明を実施するための最良の形態】
【０００７】
以下、本発明の実施の形態を図示例と共に説明する。
図１〜図６は、発明を実施する形態の一例であって、図中、図と同一の符号を付した部分は同一物を表わしており、基本的な構成は図に示す従来のものと同様であるが、本図示例の特徴とするところは、図１に示す如く、舌苔清掃器の構成要素である口蓋接触部１、首部２、保持部３、あるいは舌苔収集部４の一部あるいは全体が、平面的な板材で構成されている点である。つまりこの実施例では平面的な板材によって２個の構成部品で立体形状を形成しているので具体的な製造方法は、プレス型抜きと紙などの平板材を使用する場合では合紙工程のみで完成することになるので、従来の射出成型や、金属加工などと比較して生産コストを軽減することが可能となる。大量生産時の製造工程の簡素化と材料費の軽減は、この製品をディスポーザブル製品としての位置づけを確立し衛生面においても多大な貢献をする。また、この板材は、可撓性と弾力性を備えた材料に曲げ応力をかけ曲面状に変形させ、薄板材を使用して可及的に薄い形状であるので、実際に口腔内に挿入した場合、図６に示すように実際の使用時には、嘔吐反射を招きやすい左右臼後結節硬後方の軟口蓋８に接触することの無いよう切り込まれた形状で硬口蓋正中縫合を支点として口蓋８の凹面形状によく適合した口蓋接触部１を乳幼児が哺乳するようなしぐさで、舌７の舌筋の力で舌苔収集部４と口蓋接触部１を押し上げ、口蓋接触部１を硬口蓋８に押し付けて生理的な運動を行うのと同様の口腔機能範囲で使用することができるので嘔吐反射を発現することは極めて少ない。この舌苔収集部４は舌７の舌筋走行方向に対して横断面凸面形状にも良く適用するように舌乳頭深部のプラークまで掻き出すために、単一曲線状、波型状、突起型状、あるいは毛状）に加工し、さらに舌苔を掻き集める方向に対して正対するように適度な湾曲を与えてやれば、舌７に強く押し当てることなくスムーズなスライド運動で舌苔を清掃できる。この時、可撓性と弾力性を有する薄板状の材料で構成されている口蓋接触部１と、保持部３を連結する首部２を上唇１２と下唇１１を閉じた状態で、上顎前歯９と下顎前歯１０の空隙に挟み込んで使用する。この状況はちょうど口腔内に少量の食物が残った状態で嚥下運動を行う場合と同様であるので、舌７の機能を一切阻害することが無いので嘔吐反射を招くことが無い。また、図２に示すのが図１の舌苔収集部４に唾液で容易に溶け出す箔状の口臭除去剤、芳香剤、甘味剤、清涼剤などの使用感を向上し口臭予防に役立つ薬剤或いは、味覚剤、芳香剤を設置したものである。使用時に瞬時に前記薬剤フィルム５が口腔内に溶け出し、使用感を向上するとともに、異物感を減少し、口臭を発現する原因となる細菌を殺菌消毒し、アロマテラピー効果も高める。また、各種薬剤の装着方法は、図示例の舌苔清掃部だけでは無く、口腔内に入り込む口蓋接触部１でもよく、加えて同部に各種薬剤を含浸させることも可能である。
図３及び図４は、図１に示すペーパー状舌苔清掃器１３を構成する口蓋接触部１、首部２、保持部３、あるいは舌苔収集部４全体の長手方向に折り目を設けたものを示す。携帯時には図３に示すように本体長手方向に折り畳まれ一枚の板形状であるものが、使用時に図４に示すように展開すると内面に設置された舌苔収集部４も立ち上がり図１のペーパー状舌苔清掃器と同様の形状を再現する。さらに常には口蓋接触部１に設置したゴム６によって展開する方向に牽引されているので、畳んだ上体でケース内などに収納しておけば、ケースから取り出すだけで瞬時に使用に適した形態に展開する。この折り目による折り畳み方向は本実施例のみならず、各構成部品の折り畳み方向は、横方向、斜め方向等、色々な組み合わせもできるし、本実施例のゴム６は、板状のエラストマー樹脂や、その他の弾力性を有する各種素材と形状の部品を用いることも可能である。
【０００８】
このような図１から図４に示すようなペーパー状舌苔清掃器に天然物である貝殻の三次元印刷を施したものを図５に示す。平面的な材料で構成された口蓋接触部１、保持部３、首部２に立体印刷を施すことによって、自然物のような立体感とともにソフトなイメージを与えるが、その他、食品の類を立体印刷すれば、視覚的効果によって心因的な要素から来る嘔吐反射を可及的に防止できるという優れた効果を奏し得る。
【０００９】
尚、本発明の口蓋接触部１、首部２、保持部３、あるいは舌苔収集部４の形状は、上述の図示例にのみ限定されるものではなく、本発明の要旨を逸脱しない範囲内において種々変更を加え得ることは勿論である。
【産業上の利用可能性】
【００１０】
本発明のペーパー状舌苔清掃器は、口臭の原因の約80％をなすといわれる舌苔を機械的に取り去る器具である。従来数々の舌苔の清掃器具が制作されてきたが、外圧により容易に3次元的に変形する物はみられず、そのため開口状態で使用することを強いられるために嘔吐反射を誘発することもしばしば見られた。またこれらの器具は、家庭内でブラッシング時に併用するものがほとんどであり、口腔清掃補助器具としての位置付けがなされていた。ところが本発明は、安価に大量生産が可能であることによってディスポーザーブル化がなされているため衛生上も有利であり、同時に口腔内に入れた瞬間に各種薬剤が口中に溶け出し薬理効果を生み出すために洗面所などにわざわざ出向いて給水設備がある環境で使用する必要がない。さらに加えて、折り畳み式のものでは、容易に携帯することが可能であるとともに視覚的効果によって違和感が軽減されるので、衆人環視のもとで舌苔清掃作業を行うことにはばかることがない。基本的に口腔内に堆積するプラークは、食後すぐに取り除くことが最も効果的であることを鑑みれば、この発明の舌苔清掃器具は容易に屋外に持ち出し、携帯可能であるために、従来家庭内でしかも洗面所などの限られた場所でのみ行われていた舌苔の清掃作業を毎食後あるいは間食の後に、何時でも何処でも使用することが可能となり新たな口腔清掃方法を世に示すことが可能となる。
【図面の簡単な説明】
【００１１】
【図１】薄板状の材質で構成されたペーパー状舌苔清掃器を示す図。
【図２】舌苔収集部舌接触面に薬剤フィルムを装着したペーパー状舌苔清掃器を示す図。
【図３】ゴムの張力によって自動的に展開する折り畳み可能なペーパー状舌苔清掃器の折り畳まれた状態を示す図。
【図４】ゴムの張力によって自動的に展開する折り畳み可能なペーパー状舌苔清掃器の展開した状態を示す図
【図５】薄板状のペーパー状舌苔清掃器の三次元印刷を施した状況を示す図。
【図６】ペーパー状舌苔清掃器、口腔内使用状況を示す人頭蓋及び口腔縦状断面図。
【符号の説明】
【００１２】
１．口蓋接触部
２．首部
３．保持部
４．舌苔収集部
５．薬剤フィルム
６．ゴム
７．舌
８．口蓋
９．上顎前歯
１０．下顎前歯
１１．下唇
１２．上唇
１３．ペーパー状舌苔清掃器
【図１】
2006122532.tif 000003
【図２】
2006122532.tif 000004
【図３】
2006122532.tif 000005
【図４】
2006122532.tif 000006
【図５】
2006122532.tif 000007
【図６】
2006122532.tif 000008